(57)【特許請求の範囲】
【請求項１】
空気を吸引する本体部と、
前記空気の流れ方向の上流側に配置されて前記本体部が吸引した前記空気を旋回させて前記空気中の塵埃を分離し前記空気を第１排気口から第１方向に排気する第１分離部と、前記第１分離部と前記第１方向において対向し前記第１排気口から排気される前記空気の下流側に配置されており管状の複数のコーン部を有し前記複数のコーン部の各々の内部において前記空気を旋回させて前記第１分離部で遠心分離されなかった前記空気中の塵埃を遠心分離する第２分離部と、前記複数のコーン部に対して取り外し可能であり、前記複数のコーン部の少なくとも一部を側方から覆うカバーと、を含む集塵装置と、
を備え、
前記複数のコーン部は、前記第１方向と反対に向かう第２方向において、
略円筒状の第１筒状部と、
前記第２方向における前記第１筒状部の端部から前記第２方向に縮径する第２筒状部と、
をそれぞれ有し、
前記集塵装置は、
前記集塵装置の排気側の端部に配置され前記第２分離部の排気口の上方を覆うとともに前記第２分離部に対して着脱可能である蓋体と、
前記第２分離部の外周部に設けられ、前記カバーを前記蓋体との間で挟持する支持部と、
をさらに備え、
前記カバーは、前記蓋体の装着された状態で、前記蓋体と、前記支持部との間に挟まれることで固定され、前記第２筒状部の少なくとも一部を前記側方から覆っている、
電気掃除機。
【請求項２】
前記複数のコーン部は、環状に並べられ、
前記カバーは、前記複数のコーン部の外周側に配置される円筒状に形成されている、
請求項１に記載の電気掃除機。
【請求項３】
前記カバーと、前記複数のコーン部の側面との間の空間は、前記複数のコーン部の風路と不連通である、
請求項１または２に記載の電気掃除機。
【請求項４】
前記カバーは、前記カバーの外部から前記カバーの内部に配置された前記複数のコーン部を視認可能な透明または半透明材料によって形成されている、請求項１から３のいずれか１項に記載の電気掃除機。
【請求項５】
前記集塵装置は、
少なくとも前記第１分離部で遠心分離された塵埃を回収するカップ、をさらに備え、
前記カバーは、前記カップとは別体に形成され、前記カップとは独立して取り外し可能である、
請求項１から４のいずれか１項に記載の電気掃除機。
【請求項６】
前記第２分離部は、
前記複数のコーン部と、中心部に貫通孔が形成されたボス部と、を含む分離部本体と、
前記分離部本体における塵埃排出側の端部に配置された塵埃案内部材と、を有しており、
前記複数のコーン部は、１つの仮想円の円周上に沿って配置されており、
前記ボス部は、前記仮想円の中心と前記複数のコーン部の少なくとも１つとの間に配置されており、
前記分離部本体と、前記塵埃案内部材とは、前記貫通孔に挿通されたねじによって互い固定されている、
請求項１から５のいずれか１項に記載の電気掃除機。
【発明の詳細な説明】
【技術分野】
【０００１】
本発明の実施形態は、電気掃除機に関する。
【背景技術】
【０００２】
電動送風機と、塵埃を遠心分離する集塵装置と、を有する電気掃除機が知られている。
集塵装置は、電動送風機の駆動によって吸引した空気を旋回させて、吸引した空気中の塵埃を遠心分離する。集塵装置は、粗い塵埃を遠心分離する第１分離部と、第１分離部で分離できない細かい塵埃を遠心分離する第２分離部と、を有する。特に第２分離部は複数のコーン部で構成された複雑な構成を有する。
しかし、第２分離部は外装カバーと一体化されているため、使用の継続により第２分離部に汚れが付着した場合などに、第２分離部に付着した汚れを容易には落とすことができなかった。この場合、電気掃除機の清浄性を保つためのメンテナンスに手間がかかる場合がある。
【先行技術文献】
【特許文献】
【０００３】
【特許文献１】特開２０１６−１３１７９１号公報
【発明の概要】
【発明が解決しようとする課題】
【０００４】
本発明が解決しようとする課題は、清浄性を保つためのメンテナンスを容易にすることができる電気掃除機を提供することである。
【課題を解決するための手段】
【０００５】
実施形態の電気掃除機は、本体部と、集塵装置とを持つ。前記本体部は、空気を吸引する。前記集塵装置は、第１分離部と、第２分離部と、カバーと、を持つ。前記第１分離部は、前記空気の流れ方向の上流側に配置されている。前記第１分離部は、前記本体部が吸引した前記空気を旋回させて前記空気中の塵埃を分離し前記空気を第１排気口から第１方向に排気する。前記第２分離部は、前記第１分離部と前記第１方向において対向し前記第１排気口から排気される前記空気の下流側に配置されている。前記第２分離部は、管状の複数のコーン部を持つ。前記第２分離部は、前記複数のコーン部の各々の内部において前記空気を旋回させて前記第１分離部で遠心分離されなかった前記空気中の塵埃を遠心分離する。前記カバーは、前記複数のコーン部に対して取り外し可能である。前記カバーは、前記複数のコーン部の少なくとも一部を側方から覆う。前記複数のコーン部は、前記第１方向と反対に向かう第２方向において、第１筒状部と、第２筒状部と、をそれぞれ持つ。前記第１筒状部は、略円筒状である。前記第２筒状部は、前記第２方向における前記第１筒状部の端部から前記第２方向に縮径する。前記集塵装置は、蓋体と、支持部と、をさらに持つ。前記蓋体は、前記集塵装置の排気側の端部に配置され前記第２分離部の排気口の上方を覆うとともに前記分離部に対して着脱可能である。前記支持部は、前記第２分離部の外周部に設けられ、前記カバーを前記蓋体との間で挟持する。前記カバーは、前記蓋体の装着された状態で、前記蓋体と、前記支持部との間に挟まれることで固定されている。前記カバーは、前記第２筒状部の少なくとも一部を前記側方から覆っている。
【図面の簡単な説明】
【０００６】
【図１】実施形態の電気掃除機の構成例を示す斜視の模式図。
【図２】実施形態の電気掃除機の本体部の構成例を示す斜視の模式図。
【図３】実施形態の電気掃除機の集塵装置の構成例を示す斜視の模式図。
【図４】実施形態の電気掃除機の集塵装置の構成例を示す斜視の分解図。
【図５】図３におけるＡ−Ａ断面図。
【図６】実施形態の電気掃除機における集塵装置の分離部の構成例を示す斜視の模式図。
【図７】実施形態の電気掃除機におけるカバーの構成例を示す斜視の模式図。
【図８】図７における平面視（Ｂ視）の模式図。
【図９】図７におけるＣ−Ｃ断面図。
【図１０】実施形態の電気掃除機における分離部本体の構成例を示す斜視の模式図。
【図１１】実施形態の電気掃除機における分離部本体と塵埃案内部材との組立例を示す断面の模式図。
【図１２】実施形態の電気掃除機におけるシール板の構成例を示す平面視の模式図。
【発明を実施するための形態】
【０００７】
以下、実施形態の電気掃除機を、図面を参照して説明する。すべての図面において、同一または相当する部材には同一の符号を付し、共通する説明は省略する。
図１は、実施形態の電気掃除機の構成例を示す斜視の模式図である。図２は、実施形態の電気掃除機の本体部の構成例を示す斜視の模式図である。
【０００８】
図１に示すように、本実施形態の電気掃除機１００は、いわゆるスティック型の電気掃除機である。ただし、電気掃除機１００は、キャニスタ型や、その他の形式の電気掃除機でもよい。
電気掃除機１００は、掃除機本体１０、延長管４、および吸込口体３を有する。
掃除機本体１０は、空気を吸引する本体部１と、本体部１によって吸引される空気から塵埃を遠心分離する集塵装置２とを有する。本体部１および集塵装置２の詳細構成は後述する。
延長管４は、掃除機本体１０に着脱可能に接続される長尺の管部材である。
吸込口体３は、使用時に床面に沿って移動される部分である。吸込口体３は、横長のケースを有し、そのケースの内部にブラシモータと、ブラシモータで回転される回転ブラシとを内蔵している。床面に対向する吸込口体３の下部には、床面の塵埃を含む空気（以下、含塵空気Ａ１）を吸い込む開口部が形成されている。
吸込口体３は、長手方向の中央部から突出した接続管部を介して、延長管４と着脱可能に連結される。
吸込口体３および延長管４は、吸込口体３の開口部から掃除機本体１０までの風路体を形成する。
延長管４および吸込口体３の内部には、それぞれ図示略の接続配線が設けられている。延長管４および吸込口体３が掃除機本体１０に接続されると、それぞれの接続配線が、掃除機本体１０と電気的に接続される。
例えば、吸込口体３に内蔵されたブラシモータは、接続配線を通して、後述する掃除機本体１０の二次電池１２および回路基板１３と電気的に接続される。
【０００９】
次に、掃除機本体１０の本体部１の詳細構成について説明する。
図２に示すように、掃除機本体１０の本体部１の外郭は、例えば合成樹脂製の本体ケース１ａによって形成される。本体ケース１ａは、筒状部１Ａと、収容部１Ｂと、を有する。
筒状部１Ａにおいて、長手方向の第１端部Ｅ１には、延長管４等が連結可能な接続部１ｂが形成されている。接続部１ｂには、延長管４の基端部が挿入可能な接続口１ｇが開口している。接続部１ｂには、延長管４に代えて電気掃除機１００に付属する、吸気ノズル、吸気ブラシ等の適宜の吸気管が着脱可能である。接続口１ｇは、延長管４、その他の吸気管等を通して、含塵空気Ａ１が流入可能である。
【００１０】
筒状部１Ａにおいて長手方向における第１端部Ｅ１と反対側の第２端部Ｅ２には収容部１Ｂが配置されている。
筒状部１Ａの側面には、第１端部Ｅ１から第２端部Ｅ２に向かって、延長管着脱操作部１ｈ、および集塵装置配置部１ｉがこの順に設けられている。
【００１１】
延長管着脱操作部１ｈは、接続部１ｂにおける延長管４の装着操作と装着解除操作とを行うための部材である。
集塵装置配置部１ｉは、後述する集塵装置２の外周側面に沿って集塵装置２を配置する凹状の湾曲面を含む。集塵装置配置部１ｉは一部の凹所を除けば、円弧状の断面形状が筒状部１Ａの長手方向に延びる凹曲面状に形成される。
集塵装置配置部１ｉは、長手方向において第１端部Ｅ１寄りに位置する凹曲面状の第１配置部１ｉＡと、第２端部Ｅ２寄りに位置し、第１配置部１ｉＡよりも大きな曲率半径を有する凹曲面状の第２配置部１ｉＢと、を有する。第２配置部１ｉＢの曲率半径は、集塵装置２の後述する第２円筒部２Ｂの外形と略同じ曲率半径を有する。
第１配置部１ｉＡは、第２配置部１ｉＢよりも上方に突出した段差部を形成している。第１配置部１ｉＡの中央部には、後述する集塵装置２の吸気ガイド部２２ｂが挿入可能な凹所１ｎが形成されている。凹所１ｎの奥には、筒状部１Ａの内部と連通する吸気連通口１ｃが開口している。
第２配置部１ｉＢには、後述する集塵装置２からの突起部との干渉を防止するための凹所１ｐが形成されている。
本体部１に後述する集塵装置２が装着された場合（以下、装着形態と称する）、接続部１ｂ内に流入した含塵空気Ａ１は、吸気連通口１ｃを通して集塵装置２に導入可能である。後述するように、第１カップ部２２ａから集塵装置２に流入した含塵空気Ａ１は、集塵装置２によって含塵空気Ａ１に含まれる塵埃が除去される。含塵空気Ａ１から塵埃が除去された空気を清浄空気Ａｃと称する。清浄空気Ａｃは集塵装置２から本体部１に排気される。
【００１２】
筒状部１Ａにおいて、集塵装置配置部１ｉの下方の側面には、集塵装置２から本体部１の内部に吸気された清浄空気Ａｃを本体部１の外部に排気する排気口１ｋが開口している。
【００１３】
収容部１Ｂは、筒状部１Ａの長手方向に対して傾斜する方向に延びている。収容部１Ｂの第１端部ｅ１は、集塵装置配置部１ｉにおいて第２端部Ｅ２寄りの端部から立ち上がっている。
収容部１Ｂの第１端部ｅ１には、後述する集塵装置２の先端係合部２９ｂを案内する凸状の案内部１ｊが設けられている。案内部１ｊの突出方向の端面である係止面１ｑの中央部には、後述する集塵装置２の排気口２９ａ（図３参照）と連通可能に設けられた排気連通口１ｄが開口している。
係止面１ｑは、第２配置部１ｉＢの端部から収容部１Ｂ側に向かって傾斜した傾斜面である。
収容部１Ｂは、筒状部１Ａの第２端部Ｅ２との接続部において筒状部１Ａの内部と連通している。
【００１４】
収容部１Ｂにおいて、筒状部１Ａとの接続部と反対側の側面には、使用者が掃除機本体１０を把持可能な把持部１ｆが設けられている。
収容部１Ｂの内部には、電動送風機１１、二次電池１２、および回路基板１３が収容されている。
二次電池１２は、例えば、電動送風機１１、回路基板１３等の電気掃除機１００内の電装部品に電力を供給する電源部である。二次電池１２は、複数の電池を直列あるいは並列に接続した電池パックで構成されてもよい。
二次電池１２は、図示略の充電接続部と電気的に接続されている。二次電池１２は、充電接続部を通して、図示略の充電台から充電可能である。
【００１５】
電動送風機１１は、ファンモータまたはメインモータと呼ばれるモータと、モータにより回転されるインペラとを含む。電動送風機１１は、駆動されることで負圧を発生させる。電動送風機１１は、発生させた負圧により接続口１ｇから集塵装置２に含塵空気Ａ１を吸い込む。さらに電動送風機１１は、集塵装置２において塵埃が遠心分離された空気を掃除機本体１０の外部に排気する。電動送風機１１のモータとしては、例えば、直流モータが使用できる。ただし、電動送風機１１はこれに限定されない。
【００１６】
回路基板１３は、配線パターンが設けられたプリント配線板と、プリント配線板に実装された複数の電子部品とを含む。回路基板１３は、例えば、電気掃除機１００の動作を制御する制御部と、二次電池１２を充電する定電流回路などの充電回路部と、を含む。
【００１７】
次に、掃除機本体１０の集塵装置２の詳細構成について説明する。
図１に示すように、集塵装置２の長手方向には、第１円筒部２Ａと、第２円筒部２Ｂとがこの順に並んでいる。第１円筒部２Ａおよび第２円筒部２Ｂの外形は、それぞれ略円筒状である。ただし第２円筒部２Ｂの外径は第１円筒部２Ａの外径よりも大径である。
第１円筒部２Ａは、吸気側の装置部分であり、後述する第１分離部を内部に含む。第２円筒部２Ｂは、排気側の装置部分であり、後述する第２分離部を内部に含む。
集塵装置２は、その長手軸線が筒状部１Ａの長手軸線と平行な姿勢で、筒状部１Ａの側方に配置されている。第２円筒部２Ｂの長手方向の端部は、図示略の案内部１ｊ（図２参照）に案内されて収容部１Ｂの第１端部ｅ１と連結されている。
【００１８】
図３は、実施形態の電気掃除機の集塵装置の構成例を示す斜視の模式図である。
図３には、集塵装置配置部１ｉ（二点鎖線参照）上に配置される側面を図示前側に配置した集塵装置２の外観が示されている。
集塵装置２は、全体として略円柱状の外形を有する。集塵装置２の外周部には、中心軸線Ｏに沿って、カップ２２、カバー２５、および蓋体２９がこの順に配置されている。
【００１９】
カップ２２は、集塵装置２によって分離された塵埃を回収する容器である。カップ２２は、略有底円筒状の部材である。カップ２２は、中心軸線Ｏと同軸に配置される。カップ２２は、第１円筒部２Ａと、第２円筒部２Ｂの一部の外表面を形成している。カップ２２は、回収された塵埃の量がカップ２２の外部から視認可能な光透過性を有する材料（透明または半透明の材料）で形成される。
カップ２２は、第１カップ部２２ａ、吸気ガイド部２２ｂ、および第２カップ部２２ｄを含む。
【００２０】
第１カップ部２２ａは、第１円筒部２Ａの軸方向の端部および第１円筒部２Ａの側部を覆う有底円筒状に形成される。
吸気ガイド部２２ｂは第１カップ部２２ａの側面において周方向の一部から第１カップ部２２ａの略接線方向に突出する筒状部である。吸気ガイド部２２ｂは、本体部１の凹所１ｎに挿入可能な形状を有する。吸気ガイド部２２ｂにおいてその突出方向の先端部には、吸気口２２ｃが開口している。
第１カップ部２２ａに対する吸気ガイド部２２ｂの傾斜は、吸気口２２ｃからカップ２２内に流入する含塵空気Ａ１によって旋回流を形成するために設けられている。
装着形態において、吸気ガイド部２２ｂは、吸気連通口１ｃを通る含塵空気Ａ１を漏洩させないように凹所１ｎと係止する。その際、吸気口２２ｃは吸気連通口１ｃと連通する。
【００２１】
第１カップ部２２ａの底面部２２ｆは、中心軸線Ｏに直交する平面からなる。このため、図３に示すように、底面部２２ｆを水平な床面に載置することによって、集塵装置２は、その中心軸線Ｏが鉛直方向に延びる起立姿勢で配置可能である。このとき、カップ２２、カバー２５、および蓋体２９は、下側からこの順に配置されている。
【００２２】
以下、特に断らない限りは、集塵装置２の各部の位置関係について、図３に示す起立姿勢に基づいて説明する。
中心軸線Ｏに沿う方向であって、第１円筒部２Ａから第２円筒部２Ｂに向かう方向（図示の鉛直上向き方向）をＺ１方向と称する。Ｚ１方向は、装着形態において、筒状部１Ａの長手方向に沿って第１端部Ｅ１から第２端部Ｅ２に向かう方向と一致する。Ｚ１方向の反対方向をＺ２方向と称する。Ｚ１方向またはＺ２方向を単にＺ方向と称する場合がある。
誤解のおそれがない場合には、任意の位置に対してＺ１方向寄りに位置することを、上、上方、上側に位置すると表現する場合がある。同様にＺ２方向寄りに位置することを、下、下方、下側に位置すると表現する場合がある。Ｚ方向に見ることを平面視と称する場合がある。
Ｙ１方向は、中心軸線Ｏに直交する面内において、吸気口２２ｃの中心から中心軸線Ｏに向かう方向である。Ｙ２方向は、Ｙ１方向の反対方向である。Ｙ１方向またはＹ２方向を単にＹ方向と称する場合がある。本実施形態では、Ｙ方向は、集塵装置配置部１ｉに対する集塵装置２の着脱方向になっている。
Ｘ１方向、中心軸線Ｏに直交する面内において、Ｙ方向と直交する方向の１つである。Ｘ１方向は、起立姿勢における集塵装置２をＹ１方向から見たとき、向かって左から右に向かう方向である。Ｘ２方向は、Ｘ１方向の反対方向である。Ｘ１方向またはＸ２方向を単にＸ方向と称する場合がある。
【００２３】
第２カップ部２２ｄは、カップ２２の開口部を形成する筒状部である。第２カップ部２２ｄは、第１カップ部２２ａの先端部から漸次拡径した後、第２円筒部２Ｂの外径に等しい円筒状に形成されている。第２カップ部２２ｄは、後述する第２塵埃回収室Ｓ２を側方から覆う範囲に形成されている。
第２カップ部２２ｄの上端部には、径方向内側に突出する係合突起（図示略）が形成されている。一方、第２円筒部２Ｂの内部には、例えば、後述する第２分離部２４などの部材に、第２カップ部２２ｄの係合突起と軸方向に係合可能かつ中心軸線Ｏ回りの回転によって係合解除可能な係合部が形成されている。これにより、第２カップ部２２ｄは、第２円筒部２Ｂと着脱可能に係合している。
第２カップ部２２ｄは、第１カップ部２２ａと同様、第２塵埃回収室Ｓ２の塵埃が見えるように形成されてもよい。ただし、第２カップ部２２ｄの外周面に適宜の凹凸部を設けるなどして、第２塵埃回収室Ｓ２の塵埃が外から見えにくい構成とされてもよい。
【００２４】
カバー２５は、第２カップ部２２ｄを除く第２円筒部２Ｂの側面を形成する筒状部材である。カバー２５は、第２カップ部２２ｄのＺ１方向の端部に隣接して中心軸線Ｏと同軸に配置されている。カバー２５の詳細形状は後述する。
【００２５】
蓋体２９は、起立姿勢における集塵装置２の天面部を形成する部材である。蓋体２９の平面視形状は、カバー２５の上端を上方から覆うことができる略円形である。
蓋体２９は、外周部におけるＹ２方向の端部に、第２円筒部２Ｂに設けられた図示略の係止部と着脱可能に係合する蓋体着脱部２９ｄを有する。
蓋体着脱部２９ｄは、Ｘ方向に延びる回動支軸を中心として回動可能に設けられている。さらに、蓋体着脱部２９ｄは図示略の弾性部材によってＹ１方向に付勢されており、蓋体着脱部２９ｄのＺ２方向の端部においてＹ１方向に突出する係合突起（図示略）が、第２円筒部２Ｂの内部に形成された係合部（図示略）に係合している。これにより、蓋体２９は、第２円筒部２Ｂを着脱可能に係合している。第２円筒部２Ｂの内部に形成された係合部は、後述する上カバー２６の円筒部２６ｄの下端部に形成されていてもよい。
蓋体２９の装着時には、蓋体２９は、カバー２５を後述する第２分離部２４における支持部との間に挟持している。
【００２６】
蓋体２９のＺ１方向の表面には、傾斜面２９ｃと先端係合部２９ｂとが設けられている。
傾斜面２９ｃは、装着形態において案内部１ｊの係止面１ｑと係止可能な傾斜を有する。傾斜面２９ｃの中心部には、Ｙ方向に長い矩形状の排気口２９ａがＺ方向に貫通している。
先端係合部２９ｂは、傾斜面２９ｃのＸ方向の両端部からＺ１方向に延びる２つの壁体で形成される凹溝状に形成されている。先端係合部２９ｂのＸ方向の内面は、案内部１ｊの側面に沿って互いに係合可能な形状に形成される。
このような構成により、装着形態における先端係合部２９ｂは、収容部１Ｂの案内部１ｊの側面を間に挟んで、案内部１ｊと係合している。
この係合時には、排気口２９ａと排気連通口１ｄとがＺ方向において互いに対向する位置に配置される。さらに、傾斜面２９ｃは、案内部１ｊの係止面１ｑと互いに当接し、傾斜面２９ｃおよび排気連通口１ｄの周囲が先端係合部２９ｂと案内部１ｊとの係合によって気密にシールされる。
このとき、第２円筒部２ＢのＹ２方向の側面は、第２配置部１ｉＢに沿って配置される。
このような装着形態における集塵装置２と本体部１との係合は、収容部１Ｂの外表面に設けられた図示略の係合操作部によって解除可能である。
【００２７】
次に、集塵装置２の内部構成について説明する。
図４は、実施形態の電気掃除機の集塵装置の構成例を示す斜視の分解図である。図５は、図３におけるＡ−Ａ断面図である。
【００２８】
図４に示すように集塵装置２の内部には、Ｚ１方向において、第１分離部２１、第２分離部２４、および第２フィルタ２８がこの順に配置されている。
集塵装置２の内部には、装着形態では、吸気口２２ｃから排気口２９ａに向かう風路が形成される。
【００２９】
図５に示すように、第１分離部２１は、図示略の吸気口２２ｃからカップ２２の内部に吸い込まれた含塵空気Ａ１に含まれる塵埃のうち粗い塵埃（粗塵Ｄ１）を遠心分離する。
第１分離部２１は、下部円筒部２１Ａと、上部風路部２１Ｂとを有する。
下部円筒部２１Ａは、第１カップ部２２ａよりも小径の外形を有する有蓋円筒状に形成されている。下部円筒部２１Ａは、第１カップ部２２ａの内部において底面部２２ｆおよび第１カップ部２２ａの内周面から離間した位置に、中心軸線Ｏと同軸に配置されている。
下部円筒部２１ＡのＺ２方向の端部には下部開口２１ａが開口し、Ｚ１方向の端部には下部開口２１ａよりも狭い上部開口２１ｂが開口している。下部円筒部２１Ａの側部には、下部円筒部２１Ａの外周を旋回する含塵空気Ａ１を底面部２２ｆに向けるリブ２１ｅが径方向外側に突出している。
下部円筒部２１Ａの側面と第１カップ部２２ａの内周面との間の隙間は、含塵空気Ａ１の旋回風路を形成している。旋回風路では、含塵空気Ａ１に含まれる粗塵Ｄ１が遠心分離される。粗塵Ｄ１は、第１カップ部２２ａの内周面に沿って底面部２２ｆに溜まる。
塵埃のうち粗塵Ｄ１が除去された含塵空気Ａ２は、底面部２２ｆに回り込み、下部開口２１ａから下部円筒部２１Ａ内で旋回しながらＺ１方向に進む。
【００３０】
上部風路部２１Ｂは、上部開口２１ｂから中心軸線Ｏと同軸にＺ１方向に延びる筒状体である。上部風路部２１Ｂの側面には、第１カップ部２２ａ内に分離された粗塵Ｄ１が風路に入り込むことを抑制する第１フィルタ２１ｃが設けられている。
上部風路部２１ＢのＺ１方向の端部には、後述する第２分離部本体２４Ａに含塵空気Ａ２を流入させる第１排気口２１ｄが開口している。
上部風路部２１Ｂの上端部は、開口部２３ｂの下方にて塵埃案内部材２３と着脱可能に係合している。上部風路部２１Ｂの下端部は、下部円筒部２１Ａと着脱可能に係合している。
カップ２２の内部において、第１分離部２１の内部を除く空間は、粗塵Ｄ１が回収される第１塵埃回収室Ｓ１を構成している。
【００３１】
塵埃案内部材２３は、後述する第２分離部本体２４Ａを下方から支持する。さらに塵埃案内部材２３は、第２分離部本体２４Ａと連通しており、第２分離部本体２４Ａによって遠心分離される細塵Ｄ２を回収する第２塵埃回収室Ｓ２を形成する。細塵Ｄ２は、含塵空気Ａ１における粗塵Ｄ１よりも細かい塵埃である。細塵Ｄ２は、第２分離部本体２４Ａによって除去可能な塵埃である。
塵埃案内部材２３は、第２分離部本体２４Ａを支持する上板部２３ａと、塵埃案内板２３ｃとを有する。上板部２３ａの中心部には、上部風路部２１Ｂの開口と略同径の内径を有する開口部２３ｂが中心軸線Ｏと同軸に形成されている。
上板部２３ａにおいて開口部２３ｂよりも径方向外側には、複数の開口部２３ｄがＺ方向に貫通している。開口部２３ｄは、Ｚ方向に貫通し、後述する第２分離部本体２４Ａの塵埃排出口２４ｇとそれぞれ連通する。
塵埃案内板２３ｃは、各開口部２３ｄよりも内側における上板部２３ａの下面から、Ｚ２方向に漸次拡径するホーン状に形成されている。
上板部２３ａの径方向の外縁と、第２カップ部２２ｄの内周面との間には、パッキン３１が配置されている。塵埃案内板２３ｃの下端部における径方向の外縁と、第２カップ部２２ｄの内周面との間には、パッキン３２が配置されている。
このような構成により、第２塵埃回収室Ｓ２は、第２分離部本体２４Ａの下方における平面視略円環状の空間からなる。第２塵埃回収室Ｓ２は、開口部２３ｄを除くと、気密にシールされている。
【００３２】
第２分離部本体２４Ａは、第１分離部２１の第１排気口２１ｄから排気された含塵空気Ａ２に含まれる細塵Ｄ２を遠心分離する。
第２分離部本体２４Ａは、通気風路部２４ａ、導風部２４ｂ、複数のコーン部２４ｅ、および上カバー２６を有する。本実施形態では、通気風路部２４ａ、導風部２４ｂ、および複数のコーン部２４ｅは、樹脂成形等によって一体的に形成されている。
【００３３】
通気風路部２４ａは、Ｚ１方向に延びる略円筒状に形成されている。通気風路部２４ａの内周面は、第１排気口２１ｄと同軸である。通気風路部２４ａの内部は、第１排気口２１ｄと連通している。
【００３４】
導風部２４ｂは、通気風路部２４ａのＺ１方向の端部に形成され、第１排気口２１ｄの内径以上の内径を有する内周面を有する。導風部２４ｂの内周面には、含塵空気Ａ２を周方向の複数成分に分岐させる複数の開口部２４ｆが形成されている。通気風路部２４ａの開口部２４ｆの数は、後述する複数のコーン部２４ｅと同数である。
各開口部２４ｆは、後述する複数のコーン部２４ｅにそれぞれ連通している。
【００３５】
複数のコーン部２４ｅの各々は、全体として管状に形成される。コーン部２４ｅは、Ｚ１方向の端部に設けられた略円筒状の第１筒状部２４ｃと、第１筒状部２４ｃのＺ２方向の端部からＺ２方向に向かって縮径する第２筒状部２４ｄと、を有する。
コーン部２４ｅは、各開口部２４ｆの径方向外側にそれぞれ設けられている。コーン部２４ｅの個数は、特に限定されないが、本実施形態では一例として、１０個である。複数のコーン部２４ｅは、中心軸線Ｏを中心とする円周上に等間隔に配置されている。すなわち、複数のコーン部２４ｅは、環状に並べられている。
【００３６】
第１筒状部２４ｃは、径方向内側の開口部２４ｆと対向して配置され、Ｚ方向において開口部２４ｆと同程度の長さを有する。第１筒状部２４ｃと、径方向に対向する開口部２４ｆとは互いに連通しており、それぞれの間には、開口部２４ｆから径方向外側に流れる含塵空気Ａ２をコーン部２４ｅの内部に導く風路が形成されている。
【００３７】
第２筒状部２４ｄのＺ２方向の端部は、塵埃案内部材２３の開口部２３ｄまで延びている。
第２筒状部２４ｄのＺ２方向の端部には、第１筒状部２４ｃよりも小径の円孔である塵埃排出口２４ｇがＺ方向に開口している。
第２筒状部２４ｄおよび通気風路部２４ａと、塵埃案内部材２３と、の間には、第２分離部本体２４Ａの下端部と塵埃案内部材２３との間の空気の漏れを抑制するシール板３３が配置されている。
塵埃排出口２４ｇは、塵埃案内部材２３の各開口部２３ｄと互いに対向し、互いに気密に接続している。
【００３８】
上カバー２６は、Ｚ１方向に開口する略有底円筒状に形成され、第２分離部本体２４Ａを上方から覆っている。上カバー２６は、天板部２６ａ、円筒部２６ｄ、排出筒部２６ｂ、および第２フィルタ支持部２６ｃを有する。
【００３９】
天板部２６ａは、後述する排出筒部２６ｂによる開口部を除いて、各コーン部２４ｅのＺ１方向の開口を塞ぐ円板状に形成されている。
円筒部２６ｄは、天板部２６ａの外縁部からＺ１方向に延びる略円筒状に形成されている。円筒部２６ｄの外周面は、カバー２５の内周面に着脱可能に嵌合する。円筒部２６ｄのＺ１方向の先端には、後述するカバー２５の係止フランジ２５ｅが係止している。これにより、円筒部２６ｄのＺ１方向の先端部は、第２分離部２４の外周部に設けられ、カバー２５を蓋体２９との間で挟持する支持部を構成している。
円筒部２６ｄよりも径方向内側には、第２フィルタ支持部２６ｃが天板部２６ａからＺ１方向に向かって突出している。第２フィルタ支持部２６ｃは、後述する第２フィルタ２８を支持するための突起部である。例えば、第２フィルタ支持部２６ｃは、第２フィルタ２８の外周部を下方から支持する円筒状の突起からなる。第２フィルタ支持部２６ｃの高さは円筒部２６ｄよりも低い。
【００４０】
排出筒部２６ｂは、天板部２６ａから各第１筒状部２４ｃの内側に向かってＺ２方向に延びる円筒状に形成されている。排出筒部２６ｂの外径は、第１筒状部２４ｃの内径よりも小さい。排出筒部２６ｂは、第１筒状部２４ｃの中心軸線と同軸に配置されている。第１筒状部２４ｃの長さは、第１筒状部２４ｃと同程度である。
第１筒状部２４ｃの内部には、排出筒部２６ｂの外側の開口部２４ｆから吸引される含塵空気Ａ２が排出筒部２６ｂ回りに旋回可能な風路が形成される。
さらに、排出筒部２６ｂの内側には、コーン部２４ｅの内部と、天板部２６ａの上方とをＺ方向に連通させる風路が形成されている。
図５に示すように、天板部２６ａには、各排出筒部２６ｂのＺ１方向の端部の内周面によって開口部２６ｅ（分離部の排気口）が形成されている。開口部２６ｅは、コーン部２４ｅの個数および配置に応じて形成される。本実施形態では、１０個の開口部２６ｅが、中心軸線Ｏを中心とする１つの仮想円（図６におけるＣ０参照）の円周上において互いに離間しており、かつ周方向に等間隔に配置されている。
【００４１】
上カバー２６と第２分離部本体２４Ａとの間には、それぞれの間で空気の漏れを防ぐシール板３６が配置されている。シール板３６は、各排出筒部２６ｂおよび導風部２４ｂと対向する開口部が厚さ方向に貫通した軟性材料からなるシート状である。シール板３６は、各排出筒部２６ｂおよび導風部２４ｂを除く第２分離部本体２４ＡのＺ１方向の端面と、上カバー２６の天板部２６ａとの間の隙間をシールしている。導風部２４ｂ内の含塵空気Ａ２は、第２分離部本体２４Ａと上カバー２６との間の隙間に漏れることなく開口２４ｆを通して第１筒状部２４ｃの内部に流れる。
【００４２】
このような構成により、図５に示すように、各開口部２４ｆから各コーン部２４ｅに排気された含塵空気Ａ２は、それぞれ排出筒部２６ｂと第１筒状部２４ｃとをＺ２方向に見て反時計回りに旋回しながらＺ２方向に進む。
含塵空気Ａ２が、第２筒状部２４ｄの内周面に沿って旋回することにより、含塵空気Ａ２に含まれる細塵Ｄ２が遠心分離される。細塵Ｄ２は、第２筒状部２４ｄの内面に沿ってＺ２方向に移動する。塵埃排出口２４ｇに到達した細塵Ｄ２は、塵埃排出口２４ｇと連通する開口部２３ｄを通して、第２塵埃回収室Ｓ２内に落下する。第２塵埃回収室Ｓ２内に落下した細塵Ｄ２は、塵埃案内板２３ｃの傾斜に沿って移動し、第２塵埃回収室Ｓ２内に回収される。
含塵空気Ａ２のうち細塵Ｄ２が除去された空気を、以下では低塵空気Ａ３と称する。
第２塵埃回収室Ｓ２は密閉されているのに対して、排出筒部２６ｂの内部は、本体部１の吸引によって負圧になる。このため、低塵空気Ａ３の多くは、開口部２３ｄを通過することなく第２筒状部２４ｄの中心部をＺ１方向に進む。低塵空気Ａ３は、排出筒部２６ｂの内部を通過して、開口部２６ｅから第２分離部本体２４Ａの上方に排気される。
【００４３】
上カバー２６と蓋体２９との間には、第２フィルタ２８が配置されている。
第２フィルタ２８は、フィルタ本体２８ａと、枠体２８ｂとを有する。
フィルタ本体２８ａは、第２分離部本体２４Ａによって遠心分離されない微細な塵埃であって掃除機本体１０から排気することを許容できない塵埃を、低塵空気Ａ３から除去するために設けられている。
【００４４】
枠体２８ｂは、フィルタ本体２８ａの外縁を保持する略円筒状の部材である。枠体２８ｂは、フィルタ本体２８ａの上方および下方に突出している。枠体２８ｂの下面における外周側にはパッキン３０が設けられている。
枠体２８ｂのＺ２方向の端部は、天板部２６ａ上に当接している。枠体２８ｂのＺ１方向の端部は、蓋体２９の外周部における凹溝に嵌合している。枠体２８ｂは、蓋体２９からＺ２方向に突出したフィルタ押え２９ｅによって第２フィルタ支持部２６ｃとの間に挟まれている。
【００４５】
枠体２８ｂに設けられたパッキン３０は、枠体２８ｂとフィルタ体支持部２６ｃとの間に挟まれている。
このような構成によって、上カバー２６と第２フィルタ２８との間の空間がパッキン３０によってシールされる。
【００４６】
次に、塵埃案内部材２３の外周部の構成と、カバー２５の詳細構成とを説明する。
図６は、実施形態の電気掃除機における集塵装置の分離部の構成例を示す斜視の模式図である。図７は、実施形態の電気掃除機におけるカバーの構成例を示す斜視の模式図である。図８は、図７における平面視（Ｂ視）の模式図である。図９は、図７におけるＣ−Ｃ断面図である。
【００４７】
図６に示すように、上板部２３ａの径方向の外縁部には、Ｚ方向から見て略円形状の外周面２３ｅが形成されている。外周面２３ｅはカバー２５のＺ２方向の端部の内周部に挿入可能な形状を有する。本実施形態では、一例として、外周面２３ｅの外形は、円筒部２６ｄの外形と同様である。
上板部２３ａの径方向の外縁部においてＹ２方向の端部には、付属品収容部２７が設けられている。
【００４８】
付属品収容部２７は、底板部２７Ｂと、側板部２７Ａとを有する。
底板部２７Ｂは、例えば、小型の付属品を着脱可能に収容する。底板部２７Ｂには、付属品を着脱可能に係合する係合部２７ｃが形成されている。
付属品の種類は特に限定されない。例えば、図６には、付属品の一例として、集塵装置２を清掃するための清掃ブラシ３４が示されている。
清掃ブラシ３４は、把持部３４ａ、ブラシ部３４ｂ、および係合部３４ｃを有する。把持部３４ａは、細長い板状に形成される。ブラシ部３４ｂは、把持部３４ａの長手方向の端部に繊維が植えられて形成される。係合部３４ｃは、係合部２７ｃに着脱可能に係合する。例えば、係合部２７ｃが凹溝の場合、係合部３４ｃとしては、凹溝に嵌合する凸状または鉤状の形状を有していてもよい。
【００４９】
側板部２７Ａは、底板部２７Ｂの外縁部の全周からＹ２方向に延びる壁体である。第１側板２７ａは、少なくとも一対の第１側板２７ａと、第２側板２７ｂとを有する。
各第１側板２７ａは、外周面２３ｅからＺ１方向に延び、Ｘ方向において互いに対向している。各第１側板２７ａの対向間隔は、清掃ブラシ３４の長さよりも大きい。
第２側板２７ｂは、底板部２７ＢにおけるＺ１方向の端部に形成され、Ｘ方向に延びている。第２側板２７ｂのＸ方向における両端部は、Ｙ方向から見て円弧状に湾曲している。第２側板２７ｂの湾曲部は、それぞれ第１側板２７ａの上端部と滑らかに接続している。
このような構成により、Ｙ方向から見ると、各第１側板２７ａおよび第２側板２７ｂは、下向きに開口するＵ字状に配置されている。
【００５０】
集塵装置２が付属品収容部２７を有することにより、例えば、清掃に用いることができる清掃ブラシ３４を集塵装置２と一体に保持することができる。このため、清掃ブラシ３４など付属品が失われにくくなる。
装着形態においては、付属品収容部２７は、清掃ブラシ３４とともに本体部１の凹所１ｐの内部に収容される。このため、清掃ブラシ３４等の付属品は、電気掃除機１００の外部から見えないように収容される。万一、電気掃除機１００の使用時に、集塵装置２が動いたりすることによって、付属品に外力が作用して、付属品と係合部２７ｃとの係合が外れても、付属品は凹所１ｐ内にとどまることができる。この点でも、付属品が失われにくくなる。
【００５１】
図４に示すように、カバー２５は、上述した第２分離部２４のＺ１方向の端部から、第２分離部２４の外周部に対して、Ｚ方向に着脱可能に装着可能な形状を有する。図５に示すように、カバー２５のＺ２方向の端部は、上板部２３ａの外周面２３ｅを覆う位置まで延びている。
図７に示すように、カバー２５は、全体としては、中心軸線Ｏを中心とする円筒状である。すなわち、カバー２５は、複数のコーン部２４ｅの外周側に配置される円筒状である。カバー２５は、カバー本体２５ｂ、係止フランジ２５ｅ、および突起部２５ｆを有する。
【００５２】
カバー本体２５ｂは、中心軸線Ｏを中心とする円筒状に形成される。カバー本体２５ｂの内径は、第２分離部２４の円筒部２６ｄおよび外周面２３ｅと着脱可能に嵌合可能な大きさを有する。
カバー本体２５ｂにおけるＹ２方向の側部の上端部には、Ｙ方向から見てＵ字状の第１切欠き部２５ａが形成されている。第１切欠き部２５ａの内側には、蓋体着脱部２９ｄがカバー２５の外側から操作可能に収容される。
【００５３】
係止フランジ２５ｅは、第１切欠き部２５ａを除くカバー本体２５ｂの上端部から径方向内側に突出して形成されている。図８に示すように、係止フランジ２５ｅの突出量は、周方向において異なる。図５に示すように、係止フランジ２５ｅの突出量は、少なくとも上カバー２６の円筒部２６ｄのＺ１方向の端部（支持部）にＺ２方向から係止可能な大きさである。
係止フランジ２５ｅの内周部の形状は、蓋体２９のフィルタ押え２９ｅが挿通可能な形状とされる。
【００５４】
図９に示すように、カバー本体２５ｂにおいて、第１切欠き部２５ａよりもＺ２方向寄りには、第２切欠き部２５Ａが形成されている。
第２切欠き部２５Ａは、付属品収容部２７の側板部２７Ａの外周部にＺ１方向の端部から着脱可能に嵌合可能な形状および大きさを有する。Ｙ方向から見ると、第２切欠き部２５Ａは、側板部２７Ａの外形と同様のＺ２方向に開口するＵ字状に形成されている。具体的には、第２切欠き部２５Ａは、側板部２７Ａの各第１側板２７ａを間に挟む、一対の第１エッジ２５ｃと、第２側板２７ｂに沿う形状を有する第２エッジ２５ｄとを有する。
ただし、係止フランジ２５ｅが円筒部２６ｄの上端部に係止したとき、第２エッジ２５ｄと第２側板２７ｂとの間には適宜の隙間が形成される。係止フランジ２５ｅが円筒部２６ｄの上端部に係止したとき、各第１エッジ２５ｃと各第１側板２７ａとの間には、第１切欠き部２５ａと蓋体着脱部２９ｄとの間の隙間以下の隙間が形成される。ただし、カバー２５のＺ１方向への移動が妨げられなければ、各第１エッジ２５ｃと各第１側板２７ａとの間には隙間が形成されなくてもよい。
このような構成によれば、カバー２５は、係止フランジ２５ｅが円筒部２６ｄの上端部に係止したとき、第２切欠き部２５Ａと側板部２７Ａとによって、中心軸線Ｏ回りに回り止めされる。さらに、カバー２５は、蓋体２９が取り外されたときにＺ１方向に移動可能である。
【００５５】
第１切欠き部２５ａと第２切欠き部２５Ａとの間のカバー本体２５ｂの外周面には、突起部２５ｆが形成されている。
突起部２５ｆは、本体部１における凹所１ｐ（図２参照）と嵌合する形状に形成されている。突起部２５ｆは、集塵装置２の本体部１への装着時における集塵装置２の位置決めに用いられる。さらに突起部２５ｆは、第１切欠き部２５ａおよび第２切欠き部２５Ａとの間の脆弱部を補強する機能と、カバー２５の取り外し時の転がり防止機能と、を備える。
図７に示す例では、突起部２５ｆは、Ｙ方向から見るとＸ方向に長い長円形状のリブからなる。突起部２５ｆのＸ方向の長さは、各第１エッジ２５ｃの距離と同程度である。
図８に示すように、突起部２５ｆはＹ２方向に突出している。突起部２５ｆのＹ１方向における先端面２５ｇは、中心軸線Ｏから一定距離に位置する平面である。
【００５６】
カバー２５の材料は、特に限定されない。例えば、カバー２５は樹脂成形によって製造される。この場合、カバー２５の樹脂材料は特に限定されない。
ただし、カバー２５は、少なくとも一部が透明または半透明の材料によって形成されることがより好ましい。この場合、カバー２５の透明度は、カバー２５の内側に配置される第２分離部２４の汚れを外側から視認できる程度の透明度であればよい。
図１、３に示す例では、カバー２５の全体が透明材料によって形成されている。このため、使用者は、例えば、第２分離部２４の外周面等のカバー２５の内側の部材の表面を視認できる。
【００５７】
次に、第２分離部２４の組立構造を説明する。
図１０は、実施形態の電気掃除機における分離部本体の構成例を示す斜視の模式図である。図１１は、実施形態の電気掃除機における分離部本体と塵埃案内部材との組立例を示す断面の模式図である。
【００５８】
図１０に示すように、第２分離部本体２４Ａは、通気風路部２４ａとコーン部２４ｅとの間に、コーン部２４ｅと平行に延びるボス部２４ｈが形成されている。
ボス部２４ｈの個数は１以上であって、コーン部２４ｅの個数以下であれば特に限定されない。図１０に示す例では、ボス部２４ｈは４本設けられている。各ボス部２４ｈは、中心軸線Ｏを間に挟んで互いに径方向に対向する一対が２組設けられている。
各ボス部２４ｈは、第２分離部本体２４Ａの外側から中心軸線Ｏに向かって見るときに、コーン部２４ｅの裏側に隠れる位置に形成されている。
各ボス部２４ｈの中心部には、貫通孔２４ｉが貫通している。
図１１に示すように、貫通孔２４ｉは、ビス３５（ねじ）の首下部が貫通可能である。
各ボス部２４ｈは、ビス３５を用いて、上カバー２６、シール板３３、および第２分離部本体２４Ａを塵埃案内部材２３に共締めするために用いられる。
【００５９】
ここで、第２分離部本体２４Ａと塵埃案内部材２３との間に配置されるシール板３３の詳細構成について説明する。
図１２は、実施形態の電気掃除機におけるシール板の構成例を示す平面視の模式図である。
図１２に示すように、シール板３３の平面視形状は、中心軸線Ｏを中心とした円環状である。シール板３３の外径は上板部２３ａの外径よりも小さい。シール板３３の中心部には、中心軸線Ｏを中心とする円形の開口部３３ｆが貫通している。
図１１に示すように、開口部３３ｆの外周部には、Ｚ１方向における表面である上面３３ａから、Ｚ２方向に凹んだ凹溝部３３ｂが形成されている。図１２に示すように、凹溝部３３ｂの平面視形状は、開口部３３ｆに沿う円形状である。凹溝部３３ｂにおける溝幅（径方向における幅）は、ボス部２４ｈが挿入可能な大きさである。
凹溝部３３ｂには、周方向に離間した４つの貫通孔３３ｅが厚さ方向に貫通している。貫通孔３３ｅの位置は、各ボス部２４ｈの貫通孔２４ｉを同軸に配置可能な位置である。
【００６０】
凹溝部３３ｂの外周側の上面３３ａ上には、各コーン部２４ｅの先端部の外周部を係止可能な係止孔３３ｄが貫通している。各係止孔３３ｄの中心は、コーン部２４ｅと同様、仮想円Ｃ０の円周上に、コーン部２４ｅと同じ間隔をあけて配置されている。各係止孔３３ｄは、コーン部２４ｅの外周部の傾斜に沿ったすり鉢状の傾斜面を有する。
【００６１】
図１１に示すように、シール板３３は、上板部２３ａのＺ１方向の表面に形成された凹凸部と嵌合した状態で、上板部２３ａ上に配置される。このとき、係止孔３３ｄは、各開口部２３ｄと互いに同軸になる位置に配置される。各係止孔３３ｄに各コーン部２４ｅの先端部が挿入されることによって、各塵埃排出口２４ｇと各開口部２３ｄとが互いに同軸となる。これにより、各塵埃排出口２４ｇと各開口部２３ｄとが互いに気密に連通する。
特に図示しないが、上カバー２６の天板部２６ａには、各貫通孔２４ｉの配置と同様な位置にビス３５が挿通可能なネジ用孔が貫通している。
【００６２】
このような構成により、塵埃案内部材２３、シール板３３、第２分離部本体２４Ａ、および上カバー２６がこの順に重ねられた状態で、各貫通孔２４ｉに挿通されたビス３５が塵埃案内部材２３に螺合される。
これにより、塵埃案内部材２３、シール板３３、第２分離部本体２４Ａ、および上カバー２６が一体的に固定された第２分離部２４が得られる。
【００６３】
図５に示すように、カバー２５および第２分離部２４が集塵装置２として組み立てられた状態では、各コーン部２４ｅの内部の風路は、各開口部２６ｅを通して円筒部２６ｄの内側の空間に連通している。しかし、円筒部２６ｄと各開口部２６ｅとの間には、第２フィルタ支持部２６ｃとフィルタ押え２９ｅとで挟持されたパッキン３０が設けられているので、この内側の風路は上カバー２６の外周面とカバー２５との間の空間とは不連通の状態で排気口２９ａと連通している。
同様に、各コーン部２４ｅの内部の風路、各開口部２３ｄを通して第２塵埃回収室Ｓ２に連通している。しかし、第２塵埃回収室Ｓ２の上端部はパッキン３３、下端部はパッキン３２によって、それぞれカップ２２との間でシールされている。このため、各コーン部２４ｅの内部の風路および第２塵埃回収室Ｓ２内の風路は、各コーン部２４ｅの側面とカバー２５との間の空間とは不連通の状態である。
【００６４】
次に、電気掃除機１００の作用について、カバー２５の作用を中心に説明する。
電気掃除機１００を用いる掃除の一例では、例えば、図１に示すように、集塵装置２を装着した掃除機本体１０に、延長管４および吸込口体３を接続する。使用者は、把持部１ｆを把持して吸込口体３を床面上に載置し、電動送風機１１の駆動を開始する。これにより、電動送風機１１による吸引が開始される。電気掃除機１００の各風路が負圧になるので、吸込口体３の開口部から含塵空気Ａ１が吸引される。
含塵空気Ａ１は、接続口１ｇから本体部１の内部に吸引され、吸気連通口１ｃを通して集塵装置２の内部に吸い込まれる（図２参照）。
図５に示すように、集塵装置２の内部では、第１分離部２１の風路において含塵空気Ａ１内の粗塵Ｄ１が遠心分離されて第１カップ部２２ａの下部に溜まる。
さらに、粗塵Ｄ１が除去された含塵空気Ａ２は、第２分離部２４内の各コーン部２４ｅにおいて含塵空気Ａ２に含まれる細塵Ｄ２が遠心分離される。細塵Ｄ２は塵埃排出口２４ｇおよび開口部２３ｂを経由して第２塵埃回収室Ｓ２内に回収される。
細塵Ｄ２が除去された低塵空気Ａ３は、フィルタ本体２８ａを通過することによって、さらに細かい塵埃が除去された清浄空気Ａｃが形成される。
清浄空気Ａｃは、排気口２９ａを通して図示略の本体部１に排気される。図２に示すように、清浄空気Ａｃは、本体部１の内部を通過した後、排気口１ｋから外部に排気される。
【００６５】
使用者は、電気掃除機１００によって清掃を行った後、必要に応じて集塵装置２からカップ２２を取り外す。使用者は、カップ２２に溜まった塵埃をカップ２２から出して廃棄する。
集塵装置２の汚れがひどくなると、使用者は、集塵装置２の清浄性を保つメンテナンスのため、集塵装置２の主要部品を清掃または洗浄する場合がある。
集塵装置２の主要部品は、使用者によって容易に着脱できるようになっている。例えば、使用者は、カップ２２の第２カップ部２２ｄの係合突起と第２分離部２４における係合部との係合を解除することによって、カップ２２を集塵装置２から取り外すことができる。
【００６６】
カップ２２が取り外された集塵装置２においては、使用者は、第２分離部２４から第１分離部２１を取り外すことができる。図４には、下部円筒部２１Ａが取り外された状態が示されている。しかし、本実施形態では、上部風路部２１Ｂも第２分離部２４から取り外すことができる。取り外された下部円筒部２１Ａおよび上部風路部２１Ｂは、それぞれ水洗いなどが可能である。
さらに、使用者が蓋体着脱部２９ｄを操作すると、蓋体着脱部２９ｄと上カバー２６との係合が解除される。これにより、図４に示すように、使用者は、第２分離部２４から、蓋体２９および第２フィルタ２８を取り外すことができる。図４には、蓋体２９および第２フィルタ２８が一体的に取り外されている様子が示されている。しかし、蓋体２９および第２フィルタ２８はＺ方向に重ね合わされているだけなので、使用者は、蓋体２９および第２フィルタ２８を互いに分離させることができる。
【００６７】
本実施形態では、第２分離部２４から蓋体２９が取り外されると、カバー２５は、第２分離部２４からＺ１方向に引き抜き可能になる。このため、使用者は、カバー２５が第２分離部２４から取り外すことができる。これにより、カバー２５および第２分離部２４の清掃または洗浄が可能になる。
【００６８】
第２分離部２４の内部において含塵空気Ａ２を遠心分離する風路は、パッキン３０、３１、３２等のシール構造によって、第２分離部２４の外周面よりも内側に形成されている。すなわち、第２分離部２４の外周には、塵埃を遠心分離する風路は形成されていないので、電気掃除機１００が吸引した塵埃は、風路から洩れない限りは、第２分離部２４の外周に付着するおそれはない。しかし、特にコーン部２４ｅの内部には塵埃を含んだ空気が高速に旋回することによって、静電気を帯びやすい。この結果、特にコーン部２４ｅの外周面には、その近傍の空気中の塵埃、浮遊物が吸着しやすい。
このように、第２分離部２４の外周面も経時的に汚れが進む可能性がある。
本実施形態によれば、第２分離部２４を覆うカバー２５を、使用者が第２分離部２４から容易に取り外すことができるので、カバー２５および第２分離部２４を容易に清掃または洗浄することができる。このように、カバー２５および第２分離部２４を互いに分離した状態で清掃または洗浄することができることによって、それぞれに付着した汚れを隅々まで落としやすい。特に、洗浄を行う場合には、カバー２５および第２分離部２４が互いに分離されることによって、乾燥させやすくなる点で、清掃に要する時間が短縮される。さらに、生乾き状態における雑菌の増殖などに起因する匂いも抑制できる。
【００６９】
特に、カバー２５が透明または半透明材料からなる場合には、使用者はカバー２５を取り外す前に、第２分離部２４の外周面およびカバー２５の汚れの程度を視認することができる。このため、使用者は、第２分離部２４およびカバー２５を清掃または洗浄すべきかどうか容易に判断できる。
カバー２５が透明または半透明材料からなる場合、上述のように、第２分離部２４の外周面が視認されやすい。本実施形態では、ボス部２４ｈが径方向においてコーン部２４ｅの裏側に配置されている。このため、ボス部２４ｈはコーン部２４ｅに隠れて使用者から見えなくなる。この結果、使用者から見ると、カバー２５内には、第２分離部２４の外周には同形状の複数のコーン部２４ｅが規則的に並んでいるため、機能美を伴う良好な外観が得られる。
【００７０】
以上説明したように、本実施形態の電気掃除機１００は、集塵装置２に対して容易に着脱できるカバー２５を持つため、清浄性を保つためのメンテナンスを容易にすることができる。
【００７１】
上記実施形態では、電気掃除機は、掃除機本体１０に延長管４を直接接続するスティック型の電気掃除機であるとして説明したが、電気掃除機は、これには限定されない。例えば、電気掃除機は、被掃除面上を走行可能な掃除機本体に対してホース体などを介して延長管を接続する、いわゆるキャニスタ型の電気掃除機、あるいは自律走行する自走式の電気掃除機などであってもよい。
【００７２】
上記実施形態では、集塵装置から排気される清浄空気Ａｃは、集塵装置の排気口２９ａから集塵装置の軸方向に排気されるとして説明したが、集塵装置の清浄空気Ａｃを排気する排気口は、軸方向に開口していなくてもよい。例えば、排気口は、径方向に開口していてもよい。
【００７３】
上記実施形態では、カバー２５が、第２分離部２４の上カバー２６と蓋体２９との間に挟まれるとして説明した。しかし、カバー２５は、複数のコーン部２４ｅに対して取り外し可能に設けられていれば、このような固定態様に限定されない。ここで、「複数のコーン部２４ｅに対して取り外し可能」とは、カバー２５が複数のコーン部２４ｅから分離可能であることを広く意味している。
上記実施形態の場合、カバー２５が複数のコーン部２４ｅとは異なる集塵装置２の部位に着脱可能に固定されている。ただし、カバー２５は、複数のコーン部２４ｅ自体に着脱可能に固定されていてもよい。例えば、カバー２５には複数のコーン部２４ｅの外周部に支持突起が形成され、カバー２５はこの支持突起と蓋体２９との間に挟まれていてよい。
さらに、カバー２５が複数のコーン部２４ｅとは異なる集塵装置２の部位に着脱可能に固定されている場合、カバー２５は、第２分離部２４の上カバー２６以外の部材と蓋体２９との間に挟まれていてもよい。例えば、蓋体２９と付属品収容部２７との間、あるいは塵埃案内部材２３の上板部２３ａとの間に、挟まれていてもよい。
【００７４】
上記実施形態では、付属品収容部２７がカバー２５の回り止めになっているとして説明したが、例えば、第２分離部２４にカバー２５の回り止めとなる付属品収容部２７以外の突起部が形成されれば、付属品収容部２７はカバー２５の回り止めに用いられなくてもよい。
例えば、カバー２５が蓋体２９と第２分離部２４との間において、中心軸線Ｏ回りに回転不能に挟持されている場合には、第２分離部２４には回り止め用の突起が設けられていなくてもよい。
【００７５】
上記実施形態では、カバー２５が第２分離部２４の上カバー２６および第２分離部本体２４Ａの全体と、塵埃案内部材２３の一部とを側方から覆うとして説明した。このように、カバー２５は、少なくとも第２分離部本体２４Ａのコーン部２４ｅを覆うことがより好ましい。しかし、カバーは、第２分離部２４のような分離部の全体を側方から覆っていてもよいし、コーン部２４ｅに限定されず第２分離部２４の一部のみを覆っていてもよい。
【００７６】
以上、説明した少なくともひとつの実施形態によれば、分離部と、カバーとを持ち、カバーが分離部に対して着脱可能に固定され、分離部の少なくとも一部を側方から覆うため、清浄性を保つためのメンテナンスを容易にすることができる電気掃除機を提供することである。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１…本体部，２…集塵装置，３…吸込口体，４…延長管，１０…掃除機本体，２１…第１分離部，２２…カップ，２３…塵埃案内部材，２４…第２分離部（分離部），２４Ａ…第２分離部本体，２４ｅ…コーン部，２４ｈ…ボス部，２５…カバー，２５ｅ…係止フランジ，２６…上カバー，２６ｄ…円筒部（支持部），３５…ビス（ねじ），１００…電気掃除機，Ａ１、Ａ２…含塵空気，Ｃ０…仮想円，Ｏ…中心軸線
【要約】
【課題】清浄性を保つためのメンテナンスを容易にすることができる電気掃除機を提供することである。
【解決手段】実施形態の電気掃除機は、本体部と、集塵装置とを持つ。前記本体部は、空気を吸引する。前記集塵装置は、分離部と、カバーと、を持つ。前記分離部は、管状の複数のコーン部を持つ。前記分離部は、前記複数のコーン部の各々の内部において前記本体部が吸引した前記空気を旋回させて前記空気中の塵埃を遠心分離する。前記カバーは、前記複数のコーン部に対して取り外し可能である。前記カバーは、前記複数のコーン部の少なくとも一部を側方から覆う。前記集塵装置は、蓋体と、支持部と、をさらに持つ。前記蓋体は、前記集塵装置の排気側の端部に配置され前記分離部に対して着脱可能である。前記支持体は、前記カバーを前記蓋体との間で挟持する。前記カバーは、前記蓋体と、前記支持部との間に挟まれることで固定されている。
【選択図】図４【図１】
0006773855.tif 000002
【図２】
0006773855.tif 000003
【図３】
0006773855.tif 000004
【図４】
0006773855.tif 000005
【図５】
0006773855.tif 000006
【図６】
0006773855.tif 000007
【図７】
0006773855.tif 000008
【図８】
0006773855.tif 000009
【図９】
0006773855.tif 000010
【図１０】
0006773855.tif 000011
【図１１】
0006773855.tif 000012
【図１２】
0006773855.tif 000013